(57)【要約】【課題】従来の装置では、紙幣のセット時に紙幣を押し付けるための押板を手動で持ち上げなければならず、両手操作が必要で、特に投入口を装置前面の下方に設置しているものでは、紙幣のセットがしづらいという問題があった。【解決手段】押板を、紙幣を装置内へ繰出すためのフィードローラに連動させ、フィードローラ軸と押板の連結部にワンウェイクラッチを取付けることで、フィードローラ逆回転時のみ押板へ駆動が掛かる様にする。紙幣の取り込み完了後、フィードローラを逆回転させることで押板を退避し、片手操作で紙幣のセットが出来る。【選択図】図１
2010267171.tif 000002
【特許請求の範囲】
【請求項１】
紙幣を受け入れて計数または入金する紙幣処理装置において、紙幣を受け入れる投入口と、この投入口へ複数枚積層された紙幣に、接触することによって生じる摩擦力で紙幣を繰出す第１搬送ローラと、この第１搬送ローラに所定の圧力で紙幣を紙幣の厚み方向へ押し付ける押板と、前記第１搬送ローラと同期して回転し、前記第１搬送ローラで繰出された紙幣を１枚ずつ装置内へ搬送する第２搬送ローラおよび抵抗ローラを備え、前記押板は、前記第２搬送ローラが搬送方向と逆方向に回転する場合に連動し、前記押板が紙幣を押し付ける方向とは逆方向へ退避すること特徴とする紙幣処理装置。
【請求項２】
前記押板は、前記第２搬送ローラが搬送方向と逆方向に回転する場合に連動し、前記第２搬送ローラが搬送方向へ回転し紙幣を搬送中の場合であっても、前記押板の手動による退避が可能であること特徴とする請求項１記載の紙幣処理装置。
【発明の詳細な説明】
【技術分野】
【０００１】
本発明は、紙幣処理装置に関するものである。
【背景技術】
【０００２】
紙幣を受け入れて計数または入金する紙幣処理装置の一例として、小売店舗等の売上金を入金計数する売上金入金機がある。本装置は投入口に投入された貨幣について金種識別、真贋判定を行い、計数をして金額を表示し、確定された場合にそれぞれの専用カセットや金庫あるいは保管庫に収納する。
【０００３】
このような装置では、ユーザが計数または入金する紙幣を投入口に直接セットする構成となっている。この投入口には、外周の一部にゴムを有する第１搬送ローラと、この第１搬送ローラに十分な搬送力を与えるために、紙幣を紙幣の厚み方向へ押さえるための押板が付いている。押板は自重またはバネを備え、常に紙幣を押さえる方向に力がかかっている。ユーザが投入口に紙幣をセットする際はこの押板を片手で持ち上げ、もう一方の手で紙幣をセットした後、装置の計数または入金処理ボタンを押下すると、装置に紙幣が取り込まれる。
【０００４】
また、従来の売上金入金機では、顧客の利便性向上のために機器上面にＰＯＳレジ等の物置スペースを確保するため、紙幣の投入口を装置前面の下方に設置しているものもある。
【発明の概要】
【発明が解決しようとする課題】
【０００５】
従来の装置では、紙幣のセット時に押板を手動で持ち上げなければならず、両手操作が必要で、特に上記の投入口を装置前面の下方に設置しているものでは、紙幣のセットがしづらいという問題があった。
【０００６】
また、ＡＴＭ等では投入口に自動で開閉する押板を備えているが、押板を動かすためのモータ等の駆動源を有する構成となっているため、複雑且つコストも上昇するという問題があった。
【０００７】
本発明の目的は、複雑な機構を必要とせず低コストな機構で、紙幣投入時の操作性を向上した紙幣処理装置を提供することにある。
【課題を解決するための手段】
【０００８】
紙幣を受け入れて計数または入金する紙幣処理装置において、紙幣を受け入れる投入口と、この投入口へ複数枚積層された紙幣に、接触することによって生じる摩擦力で紙幣を繰出す第１搬送ローラと、この第１搬送ローラに所定の圧力で紙幣を紙幣の厚み方向へ押し付ける押板と、前記第１搬送ローラと同期して回転し、前記第１搬送ローラで繰出された紙幣を１枚ずつ装置内へ搬送する第２搬送ローラおよび抵抗ローラを備え、前記押板は、前記第２搬送ローラが搬送方向と逆方向に回転する場合に連動し、前記押板が紙幣を押し付ける方向とは逆方向へ退避すること特徴とする。
【０００９】
また、前記押板は、前記第２搬送ローラが搬送方向と逆方向に回転する場合に限り連動し、前記第２搬送ローラが搬送方向へ回転し紙幣を搬送中の場合であっても、前記押板の手動による退避が可能であること特徴とする
【発明の効果】
【００１０】
本発明によれば、複雑な機構を必要とせず低コストな機構で、紙幣投入時の片手操作が可能で操作性の良い、紙幣処理装置を提供することができる。
【図面の簡単な説明】
【００１１】
【図１】本発明の一実施例を備えた紙幣投入口の概略図である。
【図２】本発明の一実施例の動作説明図である。
【図３】本発明の一実施例の動作説明図である。
【図４】本発明の一実施例における処理動作の流れを示すフローチャートである。
【発明を実施するための形態】
【００１２】
本発明の実施形態を以下にて説明する。
【００１３】
図１は、本発明の一実施例を示す紙幣投入口の構成図である。
【００１４】
紙幣投入口は主に紙幣をセットする紙幣堆積部1と、堆積された紙幣を繰出す、外周の一部にゴムを有したピックローラ２と、このピックローラ２に所定の圧力で紙幣を紙幣の厚み方向へ押し付ける押板３と、繰出された紙幣を1枚ずつ装置内へ搬送する、外周の一部にゴムを有したフィードローラ４と、外周の全周にゴムを有するゲートローラ５と、紙幣ガイド６により構成される。
【００１５】
ピックローラ２とフィードローラ４は、回転軸が歯付きベルト７を介して連結されており、ステッピングモータ８により駆動を与えられ、同じ方向に同じ回転数で回転する。また、ゲートローラ５は、フィードローラ４に対向して配置され、繰出し方向には回転しない。
【００１６】
押板３はアーム１３を介し、円弧状に揺動し、アーム１３の支点に従動ギヤ１１を備えている。この従動ギヤ１１は、フィードローラ４の回転軸に備えた駆動ギヤ９と連結している。駆動ギヤ９は、フィードローラ軸にワンウェイクラッチ１０を介して取付けされており、フィードローラ８が繰出し方向へ回転する場合は、従動ギヤ１１には駆動力は伝達されず、繰出し方向とは逆方向へ回転する場合に従動ギヤ１１へ駆動力が伝達される。上記の回転方向の制限をするために、ワンウェイクラッチ１０は従動ギヤ１１側に内蔵しても良い。また、駆動の伝達方法はギヤ以外のカム方式やベルト方式でも良い。
【００１７】
ここで、前記フィードローラ軸と、ワンウェイクラッチ１０と、駆動ギヤ９の回転動作について図１にて詳細に説明する。
【００１８】
フィードローラ軸がＡ方向へ回転する場合、ワンワエイクラッチ１０はロック方向へ作用し、駆動ギヤ９は、Ａ方向へ回転する。フィードローラ軸が固定状態の場合、駆動ギヤ９は、Ｂ方向へ回転しようとすると、ワンウェイクラッチ１０がロック方向へ作用し回転できず、Ａ方向のみ回転できる。フィードローラ軸がＢ方向へ回転する場合は、駆動ギヤ９はＡ方向およびＢ方向へ自由に回転できる。
【００１９】
次に図1から図３により紙幣のセットから装置内への繰出し完了までの動作について説明する。フィードローラ４の駆動制御は図示しない制御部により行われる。
【００２０】
まず、紙幣セット時の状態を図１に示す。
【００２１】
紙幣セット時は、ピックローラ２およびフィードローラ４は外周のゴム部分（２ａおよび４ａ）が図１に示す下方へ向く様に停止して、紙幣セット時に抵抗とならない様にしている。
【００２２】
また、フィードローラ４の駆動用のステッピングモータ８を制御により通電状態として励磁保持し、押板３は上方へ退避した状態で保持されている。ユーザは堆積部１に紙幣をセットする（Ｓ１１１）。
【００２３】
ユーザが紙幣をセットした後、図示しない装置の計数または入金ボタンを押下すると（Ｓ１１２）、セットした紙幣の装置内への繰出しが開始される。
【００２４】
次に紙幣繰出し時の状態を図２に示す。
【００２５】
制御によりフィードローラ４が回転し、歯付きベルト７を介してピックローラ２が同期して繰出し方向へ回転する（Ｓ１１３）。図１の状態から、ピックローラ２およびフィードローラ４が回転して、ピックローラ２およびフィードローラ４のゴム部分（２ａおよび４ａ）が堆積した最下部の紙幣に当たるまでに、フィードローラ軸が繰出し方向へ回転することにより、ワンウェイクラッチ１０がロック解除方向へ回転して押板３が自重にて下降し、紙幣に所定の圧力をかける（Ｓ１１４）。
【００２６】
その後、ピックローラ２およびフィードローラ４が回転し、ピックローラ２およびフィードローラ４のゴム部分（２ａおよび４ａ）が紙幣に当たり、装置内へ１枚ずつ繰出される（Ｓ１１５）。押板３の下降方向への力は所定の圧力であれば、バネ等で力を付加しても良い。
【００２７】
また、紙幣を繰出し中に、紙幣を追加で投入する場合（Ｓ１１６）は、繰出し中に押板３退避方向へ動かすことが可能であるため、押板３を手で持ち上げて紙幣を追加することが可能である（Ｓ１１７）。紙幣を追加した後、手を押板３から離すと（Ｓ１１８）、押板３は再度下降して紙幣に圧力をかけ、紙幣の繰出しを継続する。また、紙幣繰出し中に紙幣ジャム等で動作が停止した場合でも、押板３を手動にて退避し、紙幣除去することが可能である。
【００２８】
図３では繰出し完了後の動作を示す。
【００２９】
紙幣がフィードローラ４にて繰出され、紙幣堆積部１に紙幣が無くなり、図示せぬセンサにて紙幣が無いことを検知する（Ｓ１１９）と、ステッピングモータ（８）を停止する。停止する時はフィードローラ軸に備えられた回転検知板１２の一部に設けたスリット部を図示せぬセンサにて検知し、所定の位置で停止する（Ｓ１２０）。
【００３０】
停止後、ステッピングモータ８を繰出し方向とは逆方向へ回転し、フィードローラ軸に取付けられたワンウェイクラッチ１０を介して駆動ギヤ９から従動ギヤ１１へ駆動力が伝達して、アーム７を介して押板３を上方へ退避する。押板は、図示せぬ制御部にて回転検知板１２の上記の停止位置から所定のステップ数だけステッピングモータ６を回転する（Ｓ１２１）ことで、押板３を所定の位置まで退避する。モータの停止後、押板の自重による下降を防ぐため、制御にてステッピングモータ６を励磁保持する（Ｓ１２２）。
【００３１】
また、回転検知板１２のスリット位置は、上記のステップ数を回転するとピックローラ２およびフィードローラ４の外周のゴム部分（２ａおよび４ａ）が下方へ向く様なスリット位置としている。
【００３２】
さらに追加で紙幣を投入する場合は、上記の一連の動作を繰り返す（Ｓ１２３）。
【００３３】
以上の説明によれば、紙幣投入時の片手操作が可能で操作性の良い、紙幣処理装置を提供することができる。
【符号の説明】
【００３４】
１…紙幣堆積部、２…ピックローラ、２ａ…ピックローラゴム、３…押板、４…フィードローラ、４ａ…フィードローラゴム、５…ゲートローラ、６…紙幣ガイド、７…歯付きベルト、８…ステッピングモータ、９…駆動ギヤ、１０…ワンウェイクラッチ、１１…従動ギヤ、１２…回転検知板、１３…アーム。
【図１】
2010267171.tif 000003
【図２】
2010267171.tif 000004
【図３】
2010267171.tif 000005
【図４】
2010267171.tif 000006